(57)【要約】【課題】  電気火花着火の信頼性の向上。ガス燃焼炎の熱エネルギー密度の向上。葉巻の着火を短時間で達成。使用心地の向上。【解決手段】  ノズル１に燃料ガスを送気する燃料ガス放出弁を持つ燃料槽２と、前記ガス放出弁を開駆動するガス放出レバー３と、ノズル１から出た燃料ガスを受けて空気を混合し燃料ガスとともに燃焼室４に送気する混合器５と、混合気を電気火花により点火する点火機構５〜９と、指によって駆動されて点火駆動する着火操作子１０と、を備えるガスライタにおいて、燃焼室４内に、混合器５から流入する混合気を竜巻状の旋回流とする、同一円周上に分布し上下方向に対して斜めの複数の通流路８ｃを持つ変流子８、を備えることを特徴とする。【選択図】  図２
2011141105.tif 000002
【特許請求の範囲】
【請求項１】
ガス放出ノズルに燃料ガスを送気する燃料ガス放出弁を持つ燃料槽と、前記燃料ガス放出弁を開駆動するガス放出レバーと、前記ガス放出ノズルから出た燃料ガスを受けて空気を混合し燃料ガスとともに燃焼室に送気する混合器と、前記燃料ガスと空気の混合気を電気火花により点火する点火機構と、指によって駆動されて前記点火機構を点火駆動する着火操作子と、を備えるガスライタにおいて、
前記燃焼室内に、前記混合器から流入する前記混合気を竜巻状の旋回流とする、同一円周上に分布し上下方向に対して周方向に斜めの複数の通流路を持つ変流子、を備えることを特徴とするガスライタ。
【請求項２】
前記複数の通流路のそれぞれは、前記変流子の中心軸が延びる方向に対して円周方向に斜めに延びる、前記変流子の外周面の溝である、請求項１に記載のガスライタ。
【請求項３】
前記着火操作子が、前記点火機構を点火駆動するための移動によって、前記ガス放出レバーを開駆動する方向に駆動する、請求項１又は２に記載のガスライタ。
【請求項４】
前記燃焼室の炎口を開閉する蓋，該蓋を開駆動するばね部材、および、閉位置の該蓋を閉維持するロック位置および該蓋の開移動が可能なアンロック位置に移動可のロックボタン、を更に備える請求項１乃至３のいずれか１つに記載のガスライタ。
【請求項５】
前記点火機構)は、前記着火操作子によって押し駆動されて高電圧を発生する圧電ユニットを含み、前記混合器は屈曲性，復元性が高い絶縁体の弾性管で前記ノズルに繋がれた導電体であり、前記変流子も導電体であって前記混合器と電気的接続状態にあり、前記圧電ユニットの高電圧が前記混合器を介して前記変流子に加わって該変流子を一極とする電気火花を発生する、請求項１乃至４のいずれか１つに記載のガスライタ。
【発明の詳細な説明】
【技術分野】
【０００１】
本発明は、燃料ガスに空気を混合し混合気を燃焼させるガスライタに関する。本発明は、葉巻に火をつける手持ちガスライタに用いるのが好適であるが、紙巻タバコに火をつけるガスライタ（ポケットライタ）および燭台，薪，焚火の火付け材等に火をつけるガスライタ（着火具）に実施することができる。
【背景技術】
【０００２】
この種のガスライタの代表的なものの一つでは、人が着火操作子を操作することにより、ガス放出レバーが弁開方向に駆動されて燃料タンクのガス放出弁が開いてノズルから燃料ガスが流出し、このガスを電気火花が点火する。ガス燃焼炎はローソクの炎のように、風によって消えやすい。これを改善するものとして、ノズルからでる燃料ガスを空気吸入口がある混合管内に送気し、混合管から空気とともに燃焼筒に噴き出してそこで燃焼させる耐風型のガスライタがある（例えば特許文献１）。耐風性能を高くし、更に熱密度の高い細く絞ったトーチ状燃焼炎を生成するために、燃焼筒内に主炎ノズルと側部口（サブノズル）を形成したライタが、特許文献２に記載されている。
【先行技術文献】
【特許文献】
【０００３】
【特許文献１】特開平  ６−３４１３３号公報
【特許文献２】特開平２００４−５２８５２４号公報
【発明の概要】
【発明が解決しようとする課題】
【０００４】
本発明は、電気火花による着火の信頼性が高く、ガス燃焼炎の熱エネルギー密度が高く、葉巻の芯から外側全体までの着火を短時間で達成する、喫煙者にとって使用心地が良いガス燃焼炎、を作ることを目的とする。
【課題を解決するための手段】
【０００５】
（１）ガス放出ノズル(1)に燃料ガスを送気する燃料ガス放出弁を持つ燃料槽(2)と、前記燃料ガス放出弁を開駆動するガス放出レバー(3)と、前記ガス放出ノズル(1)から出た燃料ガスを受けて空気を混合し燃料ガスとともに燃焼室(4)に送気する混合器(5)と、前記燃料ガスと空気の混合気を電気火花により点火する点火機構(5〜9)と、指によって駆動されて前記点火機構を点火駆動する着火操作子(10)と、を備えるガスライタにおいて、
前記燃焼室(4)内に、前記混合器(5)から流入する前記混合気を竜巻状の旋回流とする、同一円周上に分布し上下方向に対して周方向に斜めの複数の通流路(8c)を持つ変流子(8)、を備えることを特徴とするガスライタ。
【０００６】
なお、理解を容易にするために括弧内には、図面に示し後述する実施例の対応要素又は相当要素の記号を、例示として参考までに付記した。以下も同様である。
【発明の効果】
【０００７】
混合器(5)から燃焼室(4)内に流入する混合気は、変流子(8)によって竜巻状の旋回流となって燃焼室(4)から外気に出る。竜巻状の旋回流となった混合気は、旋回するので空気の混入が均一化し、点火機構(5〜9)が発生する電気火花による点火が確実となり、点火した燃焼ガス炎は、空気が十分にかつ均一に混入した竜巻状の旋回流となって熱エネルギー密度が高く、葉巻，紙巻タバコの芯およびその外側の着火が速く、喫煙者にとって使用心地が良い。
【図面の簡単な説明】
【０００８】
【図１】本発明の１実施例のガスライタの外観を示し、（ａ）は正面図、（ｂ）は左側面図、（ｃ）は右側面図、（ｄ）は平面図、（ｅ）は底面図である。背面図は正面図と対称に現れる。
【図２】図１に示すガスライタの縦断面図である。
【図３】図２に示す変流子８の外観を拡大して示し、（ａ）は正面図、（ｂ）は斜視図、（ｃ）は平面図、（ｄ）は底面図である。
【発明を実施するための形態】
【０００９】
（２）前記複数の通流路(8c)のそれぞれは、前記変流子(8)の中心軸が延びる方向に対して円周方向に斜めに延びる、前記変流子(8)の外周面の溝である、上記(1)に記載のガスライタ。
【００１０】
（３）前記着火操作子(5)が、前記点火機構を点火駆動するための移動によって、前記ガス放出レバー(3)を開駆動する方向に駆動する、上記（１）又は（２）に記載のガスライタ。
【００１１】
（４）前記燃焼室(4)の炎口を開閉する蓋(11)，該蓋(11)を開駆動するばね部材、および、閉位置の該蓋(11)を閉維持するロック位置および該蓋(11)の開移動が可能なアンロック位置に移動可のロックボタン(13)、を更に備える上記（１）乃至（３）のいずれか１つに記載のガスライタ。
【００１２】
（５）前記点火機構(5〜9)は、前記着火操作子(5)によって押し駆動されて高電圧を発生する圧電ユニット(6)を含み、前記混合器(5)は屈曲性，復元性が高い絶縁体の弾性管(15)で前記ノズル(1)に繋がれた導電体であり、前記変流子(8)も導電体であって前記混合器(5)と電気的接続状態にあり、前記圧電ユニット(6)の高電圧が前記混合器(5)を介して前記変流子(8)に加わって該変流子(8)を一極とする電気火花を発生する、前記（１）乃至（４）のいずれか１つに記載のガスライタ。
【００１３】
本発明の他の目的および特徴は、図面を参照した以下の実施例の説明より明らかになろう。
【実施例】
【００１４】
図１に示す手持ちライタには、図２に示すように液化燃料槽２があり、その内部には、ガス放出ノズル１に燃焼ガスを送気する常閉弁である燃料ガス放出弁があり、ガス放出ノズル１がガス放出レバー３によって上方に引き上げられると、燃料ガス放出弁が弁開となって、液化燃料槽２内にある液化燃料の一部が気化してノズル１から、屈曲性，復元性が高い絶縁体の弾性管１５に出て、弾性管１５から混合器５に入る。混合器５には、その中心軸部にはガス流路があり、このガス流路と直交し連通する空気吸入口があるので、燃料ガス流によって混合器５内に空気が吸入されて燃料ガスと空気との混合気が、絶縁体セラミック製の燃焼筒６の内空間である燃焼室４に流出する。
【００１５】
燃焼筒６の内部には、混合器５の上端部の拡大径部が進入しており、この拡大径部に変流子８が挿入されて混合器５の拡大径部の内表面に圧接している。燃焼筒６が固定された略厚肉円筒状の火口部材７は金属性（導電体）であり、金属製（導電体）の燃料槽２に立てた金属支幹（導電体：図示略）に連結されており、火口部材７は燃料槽２と電気的接続状態にある。
【００１６】
図３に示すように、本実施例の変流子８は、太径の基部８ａの側面すなわち外周面に、混合気通流路として、同一円周上に分布する多数の溝８ｃが刻まれており、溝８ｃの下端は、基部８ａの底側テーパ面に開いている。溝８ｃの上端は、基部８ａの上端面に開いているが、該上端面から細径の電極部８ｄが突出している。太径の基部８ａが、混合器５の上端部の拡大径部に圧入されている。溝８ｃは、上下方向（変流子８の中心軸が延びる方向）に対して円周方向（基部８ａの外周の周方向）に斜めに延びる。すなわち、混合気流に旋回を与えるように捩られている。
【００１７】
混合気通流路としては、斜めに延びる溝８ｃの他に、基部８ａの中心軸を中心とする円周上に分布する斜めに延びる穴とすることも出来る。溝であれ穴であれ、特別な治具と手作業又は自動工作機によって形成することができるが、溝８ｃの方が、外周面に形成するので、作成（加工）が容易である。
【００１８】
図２を再度参照する。火口部材７の上端部には、火口部材７の炎口（火口）を開閉する蓋１１が、ピン１２で回動自在に支持され、ばねで開方向に強制されている。蓋１１を閉じると、ロックボタン１３によって蓋１１は閉位置に保持される。すなわちロックされる。ロックボタン１３をその下方にある圧縮コイルスプリングの反発力に抗して押し下げると、蓋１１の閉ロックがはずれて、図２上に点線で示す開位置に、蓋１１が開く。使用者が蓋１１を閉じると、ロックボタン１３が自動的（機械的）に蓋１１を閉ロックする。
【００１９】
液化燃料槽２の隣には、本実施例では、圧電ユニット６があり、その頭部のスライダを着火操作子１０が押し下げると、該スライダがある程度降下した位置でユニット６内において、圧電素子がプランジャで打撃されて高電圧を発生する。
【００２０】
圧電ユニット６の高電圧出力の一極は燃料槽２に接続されている。すなわち電気的には火口部材７に接続されている。もう一極は、電気リード９を介して混合器５に接続されている。すなわち電気的には変流子８に接続されている。したがって、圧電ユニット６が高電圧を発生すると、それによって変流子８と火口部材７（の、燃焼筒６の上端に位置するエッジ部）との間に電気火花（放電スパーク）が発生する。
【００２１】
ガス放出レバー３の先端がノズル１の下端に係合しており、ガス放出レバー３の、くの字形の跳ね上がりの尾端を、上下スライドが可能な着火操作子１０が押し下げる（時計方向に廻す）ことにより、ガス放出レバー３が支点を中心に回動して、ガス放出レバー３の先端がノズル１を上方に押し上げ、これにより燃料槽２内の燃料ガス放出弁が開き、燃料槽２内の液化燃料が気化してノズル１を通って混合器５に入る。
【００２２】
使用者がロックボタン１３を下方に駆動して蓋１１を開き、そして着火操作子１０を押し下げると、ガス放出レバー３が回動して燃料槽２内の燃料ガス放出弁が開き、しかも圧電ユニット６の頭部のスライダが押し下げられる。そして圧電ユニット６がその内部の圧電素子を打撃して高電圧を発生し、この高電圧によって変流子８（の先端）と火口部材７（の、燃焼筒６の上端に位置するエッジ部）との間に電気火花が発生し、これが燃焼室４内の混合気に火をつけ、すなわち点火し、これにより、燃焼室４内に燃焼ガス炎が発生して、火口部材７の上端の炎口から上方に、完全燃焼ガスが噴き出す。
【００２３】
混合器５から燃焼室４に送り込まれる、燃料ガスと空気との混合気流は、その中心の燃料ガス濃度が高く、その外側を空気が流れる、径方向に空気が偏在するものであるが、この混合気に、変流子８の捩り溝８ｃを通って上昇する間に旋回力が加わり、捩り溝８ｃを通過して変流子８の太径の基部８ａの上端部から出ると、混合気は、細径の電極部８ｄの外周面を周方向に進む成分を持つ旋回流すなわち竜巻状となって燃焼室４内を、炎口に向かって上昇する。この旋回流は、該旋回により攪拌されて、燃料ガスと空気との混合が均一になったものとなる。
【００２４】
この竜巻を中心から外に（又はその逆に）、圧電ユニット６の高電圧によって生起する電気火花が横切るので、電気火花経路上の混合気は、燃料ガスに空気が十分に交じり合ったものであるので、電気火花によって容易に確実に発火する。混合気が竜巻のように旋回するので、その火炎も、竜巻のように旋回して、火口部材７の炎口から上方に吹き出す。この火炎流によって、外気が空気口１４を通って炎口直下に吸い込まれて、火炎流に巻き込まれる。この給気によって更に空気供給量が増大して火炎が完全燃焼し、熱エネルギーが高い。したがってこの火炎を葉巻の先端に当てると短時間のうちに先端面が広い範囲で燃焼を始める。喫煙者にとって心地よい着火となる。
【００２５】
使用者が着火操作子１０の押し下げをやめると、圧電ユニット６内の戻しばねの反発力で圧電ユニット６の頭部のスライダが戻り上昇して着火操作子１０を、図１および図２に示す元位置に戻す。着火操作子１０のこの戻りにより、ガス放出レバー３が元位置に戻り回動して液化燃料槽２内の燃料ガス放出弁が閉じ、燃焼火炎が消える。使用者が蓋１１を閉じると、ロックボタン１３が蓋１１をロックする。
【符号の説明】
【００２６】
１：ガス放出ノズル
２：液化燃料槽
３：ガス放出レバー
４：燃焼室
５：混合器
６：圧電ユニット
７：火口部材
８：変流子
９：電気リード
１０：着火操作子
１１：蓋
１２：ピン
１３：ロックボタン
１４：空気口
１５：弾性管
【図１】
2011141105.tif 000003
【図２】
2011141105.tif 000004
【図３】
2011141105.tif 000005